(57)【特許請求の範囲】
【請求項１】
圧縮機、室内外熱交換器、減圧装置により構成された冷凍サイクルを具備し、運転時間を検出する運転時間検出手段と、前記運転時間検出手段により検出された運転時間が設定時間記憶手段にあらかじめ設定された設定時間に達したことを判定する比較手段と、前記比較手段の出力に応じて前記圧縮機の運転周波数の設定値を可変する運転周波数設定値出力手段と、前記運転周波数設定値出力手段の出力により制御されて前記圧縮機を運転する駆動回路と、リモコン設定検出手段と、前記リモコン設定検出手段により検出されたリモコン設定が変更されたかどうか判定する判定手段とを備え、前記判定手段の出力に応じて運転時間をクリアし、制御を初めから再スタートさせることを特徴とする空気調和機。
【請求項２】
運転時間検出手段により検出された運転時間と設定時間記憶手段にあらかじめ設定された設定時間とを比較する比較手段と、前記比較手段の出力に応じて圧縮機の運転周波数の設定値を運転時間に応じて多段階に可変する運転周波数設定値出力手段と、前記運転周波数設定値出力手段の出力により制御されて前記圧縮機を運転する駆動回路と、リモコン設定検出手段と、前記リモコン設定検出手段により検出されたリモコン設定が変更されたかどうか判定する判定手段とを備え、前記判定手段の出力に応じて運転時間をクリアし、制御を初めから再スタートさせることを特徴とする、請求項１記載の空気調和機。
【請求項３】
圧縮機、室内外熱交換器、減圧装置により構成された冷凍サイクルを具備し、運転時間を検出する運転時間検出手段と、前記運転時間検出手段により検出された運転時間が設定時間記憶手段にあらかじめ設定された設定時間に達したことを判定する比較手段と、前記比較手段の出力に応じて前記圧縮機の運転周波数の上限値を規定する運転周波数上限値出力手段と、前記運転周波数上限値出力手段の出力により制御されて前記圧縮機を運転する駆動回路と、リモコン設定検出手段と、前記リモコン設定検出手段により検出されたリモコン設定が変更されたかどうか判定する判定手段とを備え、前記判定手段の出力に応じて運転時間をクリアし、制御を初めから再スタートさせることを特徴とする空気調和機。
【請求項４】
運転時間検出手段により検出された運転時間と設定時間記憶手段にあらかじめ設定された設定時間とを比較する比較手段と、前記比較手段の出力に応じて圧縮機の運転周波数の上限値を運転時間に応じて多段階に規定する運転周波数上限値出力手段と、前記運転周波数上限値出力手段の出力により制御されて前記圧縮機を運転する駆動回路と、リモコン設定検出手段と、前記リモコン設定検出手段により検出されたリモコン設定が変更されたかどうか判定する判定手段とを備え、前記判定手段の出力に応じて運転時間をクリアし、制御を初めから再スタートさせることを特徴とする、請求項３記載の空気調和機。
【請求項５】
外気温を検出する外気温検出手段と、前記外気温検出手段により検出された外気温と設定外気温記憶手段にあらかじめ設定された温度とを比較する比較手段とを備え、前記比較手段の出力に応じて圧縮機の運転周波数を制御し、且つリモコン設定検出手段と、前記リモコン設定検出手段により検出されたリモコン設定が変更されたかどうか判定する判定手段とを備え、前記判定手段の出力に応じて運転時間をクリアし、制御を初めから再スタートさせることを特徴とする、請求項１から４いずれかに記載の空気調和機。
【請求項６】
室内側ファンと、前記室内側ファンを回転させる駆動装置を具備し、前記室内側ファンのファン速度を検出するファン速度検出手段と、前記ファン速度検出手段により検出されたファン速度と設定ファン速度記憶手段にあらかじめ設定されたファン速度とを比較する比較手段とを備え、前記比較手段の出力に応じて圧縮機の運転周波数を制御し、且つリモコン設定検出手段と、前記リモコン設定検出手段により検出されたリモコン設定が変更されたかどうか判定する判定手段とを備え、前記判定手段の出力に応じて運転時間をクリアし、制御を初めから再スタートさせることを特徴とする、請求項１から５いずれかに記載の空気調和機。
【請求項７】
運転時間検出手段により検出された運転時間が設定時間記憶手段にあらかじめ設定された設定時間に達したことを判定する比較手段と、リモコン設定検出手段と、前記リモコン設定検出手段により検出されたリモコン設定が変更されたかどうか判定する判定手段を備え、前記判定手段の出力に応じて運転時間をクリアし、制御を初めから再スタートさせることを特徴とする、請求項１から６いずれかに記載の空気調和機。
【請求項８】
リモコン設定検出手段と、前記リモコン設定検出手段により検出されたリモコン設定が変更されたかどうか判定する判定手段を備え、前記判定手段の出力に応じて運転時間をクリアし、制御を初めから再スタートさせる請求項１から７いずれかに記載の空気調和機。
【請求項９】
運転時間を検出する運転時間検出手段と、前記運転時間検出手段により検出された運転時間が設定時間記憶手段にあらかじめ設定された設定時間に達したことを判定する比較手段と、前記比較手段の出力に応じて減圧装置の絞り量を決定する減圧装置開度出力手段と、前記減圧装置開度出力手段の出力により制御されて前記減圧装置の絞り量を変更する減圧装置開度変更装置と、リモコン設定検出手段と、前記リモコン設定検出手段により検出されたリモコン設定が変更されたかどうか判定する判定手段を備え、前記判定手段の出力に応じて運転時間をクリアし、制御を初めから再スタートさせることを特徴とする、請求項１から８いずれかに記載の空気調和機。
【請求項１０】
運転時間検出手段により検出された運転時間と設定時間記憶手段にあらかじめ設定された設定時間とを比較する比較手段と、前記比較手段の出力に応じて減圧装置の絞り量を運転時間に応じて多段階に決定する減圧装置開度出力手段と、前記減圧装置開度出力手段の出力により制御されて前記減圧装置の絞り量を変更する減圧装置開度変更装置と、リモコン設定検出手段と、前記リモコン設定検出手段により検出されたリモコン設定が変更されたかどうか判定する判定手段を備え、前記判定手段の出力に応じて運転時間をクリアし、制御を初めから再スタートさせることを特徴とする、請求項９記載の空気調和機。
【請求項１１】
外気温を検出する外気温検出手段と、前記外気温検出手段により検出された外気温と設定外気温記憶手段にあらかじめ設定された温度とを比較する比較手段とを備え、前記比較手段の出力に応じて減圧装置の絞り量を制御し、且つリモコン設定検出手段と、前記リモコン設定検出手段により検出されたリモコン設定が変更されたかどうか判定する判定手段を備え、前記判定手段の出力に応じて運転時間をクリアし、制御を初めから再スタートさせることを特徴とする、請求項９から１０いずれかに記載の空気調和機。
【請求項１２】
室内側ファンと、前記室内側ファンを回転させる駆動装置を具備し、前記室内側ファンのファン速度を検出するファン速度検出手段と、前記ファン速度検出手段により検出されたファン速度と設定ファン速度記憶手段にあらかじめ設定されたファン速度とを比較する比較手段とを備え、前記比較手段の出力に応じて減圧装置の絞り量を制御し、且つリモコン設定検出手段と、前記リモコン設定検出手段により検出されたリモコン設定が変更されたかどうか判定する判定手段を備え、前記判定手段の出力に応じて運転時間をクリアし、制御を初めから再スタートさせることを特徴とする、請求項９から１１いずれかに記載の空気調和機。
【発明の詳細な説明】
【０００１】
【発明の属する技術分野】
本発明は、空気調和機に関するものである。
【０００２】
【従来の技術】
近年、空気調和機はマイクロコンピュータの進歩に伴い、複雑な制御が可能となり、信頼性追求のためより高機能化されている。その一例として従来のこの種の空気調和機について、図面とともに説明する。
【０００３】
図２２は空気調和機の冷凍サイクルで、圧縮機１から吐出された冷媒は、室外熱交換器３、減圧装置４、室内熱交換器２と流れ、圧縮機１に吸入される。５は室内側ファン、６は室外側ファン、７は室内側ファンモータ、８は圧縮機１の運転周波数を可変できる駆動回路、９は圧縮機駆動回路８の電源回路、１０は制御回路、１１は室内吸込温度センサで構成される。制御回路１０で、室内吸込センサ１１により検出された室内温度ｔと設定温度ｔ１、室内側ファン速度ｎと設定ファン速度ｎ１を比較し、ある一定の条件を満たした場合に、露付制御信号を発信する。露付制御信号により、圧縮機１の運転周波数を制御し、圧縮機１の運転周波数を下げることにより冷凍能力を低下させる。この結果、室内熱交換器２の蒸発温度は上昇し、吹出温度を上昇させることにより、高温多湿条件下において露付を防ぐことができる。
【０００４】
【発明が解決しようとする課題】
現在、市場においてワックスや家具の艶だし材等のロウ成分が蒸発し、それがドレン水に含まれ、室内熱交換器のフィンを、親水性から撥水性に変化させると云われている。室内熱交換器のフィンが撥水性になると、ドレン水がフィン間でブリッジしやすくなり、室内送風回路の通風抵抗が増加し、室内風量が低下する。そのため、室内熱交換器の蒸発温度が低下し、吹出温度を低下させることになる。したがって、空調条件によらず、霧の吹出しや室内側ファンの結露等が生ずる。しかしながら従来の制御方法では、制御開始条件の一つとして、室内温度センサ、室内湿度センサ、室内熱交換器温度センサ等から判定した空調条件を使用していた。したがって、上記のように室内熱交換器がワックスや家具の艶だし材等の不純物により汚染された場合、霧の吹出しや室内側ファンの結露等が生ずるという課題を有していた。
【０００５】
本発明は、このような従来の空気調和機の課題を考慮し、室内の温湿度によらず、室内ユニットでの霧の吹出しや室内側ファンの結露等を防止できる空気調和機を提供することを目的とするものである。
【０００６】
【課題を解決するための手段】
上記課題を解決するために本発明は、運転時間検出手段により検出された運転時間が設定時間記憶手段にあらかじめ設定された設定時間に達したことを判定する比較手段と、前記比較手段の出力に応じて圧縮機の運転周波数の設定値を可変する運転周波数設定値出力手段と、前記運転周波数設定値出力手段の出力により制御されて前記圧縮機を運転する駆動回路とを備えた構成にしたものである。
【０００７】
また本発明は、運転時間検出手段により検出された運転時間が設定時間記憶手段にあらかじめ設定された設定時間とを比較する比較手段と、前記比較手段の出力に応じて圧縮機の運転周波数の設定値を運転時間に応じて多段階に可変する運転周波数設定値出力手段と、前記運転周波数設定値出力手段の出力により制御されて前記圧縮機を運転する駆動回路とを備えた構成にしたものである。
【０００８】
また本発明は、運転時間検出手段により検出された運転時間と設定時間記憶手段にあらかじめ設定された設定時間に達したことを判定する比較手段と、前記比較手段の出力に応じて圧縮機の運転周波数の上限値を規定する運転周波数上限値出力手段と、前記運転周波数上限値出力手段の出力により制御されて前記圧縮機を運転する駆動回路とを備えた構成にしたものである。
【０００９】
また本発明は、運転時間検出手段により検出された運転時間と設定時間記憶手段にあらかじめ設定された設定時間とを比較する比較手段と、前記比較手段の出力に応じて圧縮機の運転周波数の上限値を運転時間に応じて多段階に規定する運転周波数上限値出力手段と、前記運転周波数上限値出力手段の出力により制御されて前記圧縮機を運転する駆動回路とを備えた構成にしたものである。
【００１０】
さらに本発明は、外気温検出手段により検出された外気温と設定外気温記憶手段にあらかじめ設定された温度とを比較する比較手段とを備え、前記比較手段の出力に応じて圧縮機の運転周波数を制御するように構成したものである。
【００１１】
さらに本発明は、室内側ファンのファン速度を検出するファン速度検出手段と、前記ファン速度検出手段により検出されたファン速度と設定ファン速度記憶手段にあらかじめ設定されたファン速度とを比較する比較手段とを備え、前記比較手段の出力に応じて圧縮機の運転周波数を制御するように構成したものである。
【００１２】
さらに本発明は、運転時間検出手段により検出された運転時間が設定時間記憶手段にあらかじめ設定された設定時間に達したことを判定する比較手段と、前記比較手段の出力に応じて運転時間をクリアし、制御を初めから再スタートさせるように構成したものである。
【００１３】
さらに本発明は、リモコン設定検出手段により検出されたリモコン設定が変更されたかどうか判定する判定手段と、前記判定手段の出力に応じて運転時間をクリアし、制御を初めから再スタートさせるように構成したものである。
【００１４】
さらに本発明は、運転時間検出手段により検出された運転時間が設定時間記憶手段にあらかじめ設定された設定時間に達したことを判定する比較手段と、前記比較手段の出力に応じて減圧装置の絞り量を決定する減圧装置開度出力手段と、前記減圧装置開度出力手段の出力により制御されて前記減圧装置の絞り量を変更する減圧装置開度変更装置とを備えた構成にしたものである。
【００１５】
また本発明は、運転時間検出手段により検出された運転時間と設定時間記憶手段にあらかじめ設定された設定時間とを比較する比較手段と、前記比較手段の出力に応じて減圧装置の絞り量を運転時間に応じて多段階に決定する減圧装置開度出力手段と、前記減圧装置開度出力手段の出力により制御されて前記減圧装置の絞り量を変更する減圧装置開度変更装置とを備えた構成にしたものである。
【００１６】
さらに本発明は、外気温検出手段により検出された外気温と設定外気温記憶手段にあらかじめ設定された温度とを比較する比較手段とを備え、前記比較手段の出力に応じて減圧装置の絞り量を制御するように構成したものである。
【００１７】
さらに本発明は、室内側ファンのファン速度を検出するファン速度検出手段と、前記ファン速度検出手段により検出されたファン速度と設定ファン速度記憶手段にあらかじめ設定されたファン速度とを比較する比較手段とを備え、前記比較手段の出力に応じて減圧装置の絞り量を制御するように構成したものである。
【００１８】
【発明の実施の形態】
本発明は運転時間を検出し、運転時間があらかじめ設定された設定時間に達したことを判定すると、圧縮機の運転周波数の設定値を変更し、圧縮機の運転周波数を制御する。
【００１９】
また本発明は、運転時間を検出し、運転時間とあらかじめ設定された設定時間とを比較し、運転時間に応じて多段階に圧縮機の運転周波数の設定値を変更し、圧縮機の運転周波数を制御する。
【００２０】
また本発明は、運転時間を検出し、運転時間があらかじめ設定された設定時間に達したことを判定すると、圧縮機の運転周波数の上限値を変更し、圧縮機の運転周波数を制御する。
【００２１】
また本発明は、運転時間を検出し、運転時間とあらかじめ設定された設定時間とを比較し、運転時間に応じて多段階に圧縮機の運転周波数の上限値を変更し、圧縮機の運転周波数を制御する。
【００２２】
さらに本発明は、外気温を検出し、外気温とあらかじめ設定された温度とを比較し、外気温に応じて圧縮機の運転周波数の設定値または上限値を変更し、圧縮機運転周波数を制御する。
【００２３】
さらに本発明は、室内側ファンのファン速度を検出し、室内側ファン速度とあらかじめ設定された設定ファン速度とを比較し、室内側ファン速度に応じて圧縮機の運転周波数の設定値または上限値を変更し、圧縮機運転周波数を制御する。
【００２４】
さらに本発明は、運転時間を検出し、運転時間があらかじめ設定された設定時間に達したことを判定すると、運転時間をクリアし、制御を初めから再スタートさせる。
【００２５】
さらに本発明は、リモコン設定を検出し、リモコン設定が変更されたことを判定すると、運転時間をクリアし、制御を初めから再スタートさせる。
【００２６】
さらに本発明は、運転時間を検出し、運転時間があらかじめ設定された設定時間に達したことを判定すると、減圧装置の絞り量を変更し、減圧装置の開度を制御するとともに、圧縮機の運転周波数を制御する。
【００２７】
また本発明は、運転時間を検出し、運転時間とあらかじめ設定された設定時間とを比較し、運転時間に応じて減圧装置の絞り量を多段階に変更し、減圧装置の開度を制御するとともに、圧縮機の運転周波数を制御する。
【００２８】
さらに本発明は、外気温を検出し、外気温とあらかじめ設定された温度とを比較し、外気温に応じて減圧装置の絞り量を変更し、減圧装置の開度を制御するとともに、圧縮機の運転周波数を制御する。
【００２９】
さらに本発明は、室内側ファンのファン速度を検出し、室内側ファン速度とあらかじめ設定されたファン速度とを比較し、室内側ファン速度に応じて減圧装置の絞り量を変更し、減圧装置の開度を制御するとともに、圧縮機の運転周波数を制御する。
【００３０】
【実施例】
以下本発明の一実施例における空気調和機について図面とともに説明する。
【００３１】
図２１は本発明の一実施例における空気調和機の冷凍サイクルで、圧縮機１から吐出された冷媒は、室外熱交換器３、減圧装置４、室内熱交換器２と流れ、圧縮機１に吸入される。５は室内側ファン、６は室外側ファン、７は室内側ファンモータ、８は圧縮機１の運転周波数を可変できる圧縮機駆動回路、９は圧縮機駆動回路８の電源回路、１０は制御回路、１１は減圧装置４の絞り量を可変できる減圧装置開度変更装置、１２は室外吸込温度センサで構成される。制御回路１０で、運転時間、リモコン設定、室外吸込センサ１２により検出された外気温、室内側ファン速度をそれぞれあらかじめ設定してある設定値と比較判定し、ある一定の条件を満たした場合に、圧縮機１の運転周波数及び減圧装置の絞り量を制御する。
【００３２】
図１は本発明の一実施例における空気調和機の要部ブロック図であり、図２はその動作を説明するフローチャートである。図１において、制御回路１００は運転時間検出手段１０１により検出された運転時間Ｔが設定時間記憶手段１０２にあらかじめ設定された設定時間Ｔ１に達したことを判定する比較手段１０３と、圧縮機１０６の運転周波数の設定値を可変する運転周波数設定値出力手段１０４とを備えている。
【００３３】
上記構成による動作を図２を用いて説明する。冷房運転開始とともに（ステップ２０１）、運転時間は運転時間検出手段１０１により検出され（ステップ２０２）、運転時間検出手段１０１により検出された運転時間Ｔと設定時間記憶手段１０２にあらかじめ設定された設定時間Ｔ１とを比較手段１０３で比較し（ステップ２０３）、Ｔ≧Ｔ１になるまで上記動作が繰り返される。そして、Ｔ≧Ｔ１となれば圧縮機１０６の運転周波数の設定値Ｈｚを運転周波数設定値出力手段１０４によりＨｚ１に下げる（ステップ２０７）。
【００３４】
つまり、室内の温湿度によらず、運転周波数を制御し、圧縮機１の運転周波数を下げることにより冷凍能力を低下させる。この結果、室内熱交換器２の蒸発温度は上昇し、吹出温度を上昇させることにより、室内熱交換器２がワックスや家具の艶だし材等の不純物により汚染された場合においても、コストの増大を招くことなく有効に、かつ安全に室内ユニットでの霧の吹出しや室内側ファン５の結露等を防止することができる。
【００３５】
図１は本発明の他の一実施例における空気調和機の要部ブロック図であり、図３はその動作を説明するフローチャートである。図１において、制御回路１００は運転時間検出手段１０１により検出された運転時間Ｔと設定時間記憶手段１０２にあらかじめ設定された設定時間Ｔ１、Ｔ２、Ｔ３とを比較する比較手段１０３と、圧縮機１０６の運転周波数の設定値を可変する運転周波数設定値出力手段１０４とを備えている。
【００３６】
上記構成による動作を図３を用いて説明する。冷房運転開始とともに（ステップ２０１）、運転時間検出手段１０１により検出された運転時間Ｔと設定時間記憶手段１０２にあらかじめ設定された設定時間Ｔ１、Ｔ２、Ｔ３とを比較手段１０３で比較し（ステップ２０３〜２０５）、Ｔ≧Ｔ１になるまで上記動作が繰り返される。そして、Ｔ１≦Ｔ＜Ｔ２となれば圧縮機１０６の運転周波数の設定値Ｈｚを運転周波数設定値出力手段１０４によりＨｚ１に下げる（ステップ２０７）。そして、Ｔ２≦Ｔ＜Ｔ３であれば圧縮機１０６の運転周波数の設定値Ｈｚを運転周波数設定値出力手段１０４によりＨｚ２に下げる（ステップ２０８）。そして、Ｔ≧Ｔ３であれば圧縮機１０６の運転周波数の設定値Ｈｚを運転周波数設定値出力手段１０４によりＨｚ３に下げる（ステップ２０９）。
【００３７】
つまり、室内の温湿度によらず、運転周波数を制御し、圧縮機１の運転周波数を下げることにより冷凍能力を低下させる。この結果、室内熱交換器２の蒸発温度は上昇し、吹出温度を上昇させることにより、室内熱交換器２がワックスや家具の艶だし材等の不純物により汚染された場合においても、コストの増大を招くことなく有効に、かつ安全に室内ユニットでの霧の吹出しや室内側ファン５の結露等を防止することができる。また、運転周波数を段階的に下げていくため、より快適性を重視した運転が可能である。
【００３８】
図４は本発明の他の一実施例における空気調和機の要部ブロック図であり、図５はその動作を説明するフローチャートである。図４において、制御回路１００は運転時間検出手段１０１により検出された運転時間Ｔが設定時間記憶手段１０２にあらかじめ設定された設定時間Ｔ１に達したことを判定する比較手段１０３と、圧縮機１０６の運転周波数の上限値を規定する運転周波数上限値出力手段１０７とを備えている。
【００３９】
上記構成による動作を図５を用いて説明する。冷房運転開始とともに（ステップ２０１）、運転時間は運転時間検出手段１０１により検出され（ステップ２０２）、運転時間検出手段１０１により検出された運転時間Ｔと設定時間記憶手段１０２にあらかじめ設定された設定時間Ｔ１とを比較手段１０３で比較し（ステップ２０３）、Ｔ≧Ｔ１になるまで上記動作が繰り返される。そして、Ｔ≧Ｔ１となれば圧縮機１０６の運転周波数の上限値Ｈｚを運転周波数上限値出力手段１０７によりＨｚ１に下げる（ステップ２０７）。
【００４０】
つまり、室内の温湿度によらず、運転周波数を制御し、圧縮機１の運転周波数を下げることにより冷凍能力を低下させる。この結果、室内熱交換器２の蒸発温度は上昇し、吹出温度を上昇させることにより、室内熱交換器２がワックスや家具の艶だし材等の不純物により汚染された場合においても、コストの増大を招くことなく有効に、かつ安全に室内ユニットでの霧の吹出しや室内側ファン５の結露等を防止することができる。また、運転周波数の上限値を規定しているためその範囲内で、室内温度と設定温度との比較結果に応じて圧縮機１を制御できるため、より快適性を重視した運転が可能である。
【００４１】
図４は本発明の他の一実施例における空気調和機の要部ブロック図であり、図６はその動作を説明するフローチャートである。図４において、制御回路１００は運転時間検出手段１０１により検出された運転時間Ｔと設定時間記憶手段１０２にあらかじめ設定された設定時間Ｔ１、Ｔ２、Ｔ３とを比較する比較手段１０３と、圧縮機１０６の運転周波数の上限値を規定する運転周波数上限値出力手段１０７とを備えている。
【００４２】
上記構成による動作を図６を用いて説明する。冷房運転開始とともに（ステップ２０１）、運転時間は運転時間検出手段１０１により検出され（ステップ２０２）、運転時間検出手段１０１により検出された運転時間Ｔと設定時間記憶手段１０２にあらかじめ設定された設定時間Ｔ１、Ｔ２、Ｔ３とを比較手段１０３で比較し（ステップ２０３〜２０５）、Ｔ≧Ｔ１になるまで上記動作が繰り返される。上記動作が繰り返され、Ｔ１≦Ｔ＜Ｔ２となれば圧縮機１０６の運転周波数の上限値Ｈｚを運転周波数上限値出力手段１０７によりＨｚ１に下げる（ステップ２０７）。そして、Ｔ２≦Ｔ＜Ｔ３であれば圧縮機１０６の運転周波数の上限値Ｈｚを運転周波数上限値出力手段１０７によりＨｚ２に下げる（ステップ２０８）。そして、Ｔ≧Ｔ３であれば圧縮機１０６の運転周波数の上限値Ｈｚを運転周波数上限値出力手段１０７によりＨｚ３に下げる（ステップ２０９）。
【００４３】
つまり、室内の温湿度によらず、運転周波数を制御し、圧縮機１の運転周波数を下げることにより冷凍能力を低下させる。この結果、室内熱交換器２の蒸発温度は上昇し、吹出温度を上昇させることにより、室内熱交換器２がワックスや家具の艶だし材等の不純物により汚染された場合においても、コストの増大を招くことなく有効に、かつ安全に室内ユニットでの霧の吹出しや室内側ファン５の結露等を防止することができる。また、運転周波数の上限値を規定しているためその範囲内で、室内温度と設定温度との比較結果に応じて圧縮機１を制御でき、しかも運転周波数の上限値を段階的に下げていくため、より快適性を重視した運転が可能である。
【００４４】
図７は本発明の他の一実施例における空気調和機の要部ブロック図であり、図８はその動作を説明するフローチャートである。図７において、制御回路１００は運転時間検出手段１０１により検出された運転時間Ｔと設定時間記憶手段１０２にあらかじめ設定された設定時間Ｔ１、Ｔ２、Ｔ３とを比較する比較手段１０３と、外気温検出手段１０８により検出された外気温ｔと設定外気温記憶手段１０９にあらかじめ設定された温度ｔ１とを比較する比較手段１１０と、圧縮機１０６の運転周波数の上限値を規定する運転周波数上限値出力手段１０７とを備えている。
【００４５】
上記構成による動作を図８を用いて説明する。冷房運転開始とともに（ステップ２０１）、運転時間は運転時間検出手段１０１により検出され（ステップ２０２）、外気温は外気温検出手段１０８により検出される（ステップ２１０）。運転時間検出手段１０１により検出された運転時間Ｔと設定時間記憶手段１０２にあらかじめ設定された設定時間Ｔ１とを比較手段１０３で比較し（ステップ２０３）、Ｔ≧Ｔ１になるまで上記動作が繰り返される。そして、外気温検出手段１０８により検出された外気温ｔと設定外気温記憶手段１０９にあらかじめ設定された温度ｔ１とを比較手段１１０で比較し（ステップ２１１）、外気温がｔ≧ｔ１であれば、ステップ２０４へ進む。運転時間検出手段１０１により検出された運転時間Ｔと設定時間記憶手段１０２にあらかじめ設定された設定時間Ｔ２、Ｔ３とを比較手段１０３で比較する（ステップ２０４〜２０５）。そして、Ｔ１≦Ｔ＜Ｔ２となれば圧縮機１０６の運転周波数の上限値Ｈｚを運転周波数上限値出力手段１０７によりＨｚ１に下げる（ステップ２０７）。そして、Ｔ２≦Ｔ＜Ｔ３であれば圧縮機１０６の運転周波数の上限値Ｈｚを運転周波数上限値出力手段１０７によりＨｚ２に下げる（ステップ２０８）。そして、Ｔ≧Ｔ３であれば圧縮機１０６の運転周波数の上限値Ｈｚを運転周波数上限値出力手段１０７によりＨｚ３に下げる（ステップ２０９）。外気温がｔ１  ＜ｔ１であれば、ステップ２１２へ進み、運転時間検出手段１０１により検出された運転時間Ｔと設定時間記憶手段１０２にあらかじめ設定された設定時間Ｔ５、Ｔ６とを比較手段１０３で比較する（ステップ２１２〜２１３）。そして、Ｔ４≦Ｔ＜Ｔ５となれば圧縮機１０６の運転周波数の上限値Ｈｚを運転周波数上限値出力手段１０７によりＨｚ４に下げる（ステップ２１４）。そして、Ｔ５≦Ｔ＜Ｔ６であれば圧縮機１０６の運転周波数の上限値Ｈｚを運転周波数上限値出力手段１０７によりＨｚ５に下げる（ステップ２１５）。そして、Ｔ≧Ｔ６であれば圧縮機１０６の運転周波数の上限値Ｈｚを運転周波数上限値出力手段１０７によりＨｚ６に下げる（ステップ２１６）。
【００４６】
つまり、室内の温湿度によらず、運転周波数を制御し、圧縮機１の運転周波数を下げることにより冷凍能力を低下させる。この結果、室内熱交換器２の蒸発温度は上昇し、吹出温度を上昇させることにより、室内熱交換器２がワックスや家具の艶だし材等の不純物により汚染された場合においても、コストの増大を招くことなく有効に、かつ安全に室内ユニットでの霧の吹出しや室内側ファン５の結露等を防止することができる。また、運転周波数の上限値を規定しているためその範囲内で、室内温度と設定温度との比較結果に応じて圧縮機１を制御でき、かつ運転周波数の上限値を段階的に下げていき、かつ外気温により運転周波数を変更するため、より快適性を重視した運転が可能である。
【００４７】
図９は本発明の他の一実施例における空気調和機の要部ブロック図であり、図１０はその動作を説明するフローチャートである。図９において、制御回路１００は運転時間検出手段１０１により検出された運転時間Ｔと設定時間記憶手段１０２にあらかじめ設定された設定時間Ｔ１、Ｔ２、Ｔ３とを比較する比較手段１０３と、室内側ファン速度検出手段１１１により検出されたファン速度ｎと設定ファン速度記憶手段１１２にあらかじめ設定されたファン速度ｎ１とを比較する比較手段１１３と、圧縮機１０６の運転周波数の上限値を規定する運転周波数上限値出力手段１０７とを備えている。
【００４８】
上記構成による動作を図１０を用いて説明する。冷房運転開始とともに（ステップ２０１）、運転時間は運転時間検出手段１０１により検出され（ステップ２０２）、室内側ファン速度は室内側ファン速度検出手段１１１により検出される（ステップ２１７）。室内側ファン速度検出手段１１１により検出されたファン速度ｎと設定ファン速度記憶手段１１２にあらかじめ設定されたファン速度ｎ１とを比較手段１１３で比較し（ステップ２１８）、室内側ファン速度がｎ≧ｎ１であれば、上記動作が繰り返される。室内側ファン速度がｎ＜ｎ１であれば、ステップ２０３へ進み、運転時間検出手段１０１により検出された運転時間Ｔと設定時間記憶手段１０２にあらかじめ設定された設定時間Ｔ１とを比較手段１０３で比較し（ステップ２０３）、Ｔ≧Ｔ１になるまで上記動作が繰り返される。運転時間検出手段１０１により検出された運転時間Ｔと設定時間記憶手段１０２にあらかじめ設定された設定時間Ｔ１、Ｔ２、Ｔ３とを比較手段１０３で比較する（ステップ２０４〜２０５）。そして、Ｔ１≦Ｔ＜Ｔ２となれば圧縮機１０６の運転周波数の上限値Ｈｚを運転周波数上限値出力手段１０７によりＨｚ１に下げる（ステップ２０７）。そして、Ｔ２≦Ｔ＜Ｔ３であれば圧縮機１０６の運転周波数の上限値Ｈｚを運転周波数上限値出力手段１０７によりＨｚ２に下げる（ステップ２０８）。そして、Ｔ≧Ｔ３であれば圧縮機１０６の運転周波数の上限値Ｈｚを運転周波数上限値出力手段１０７によりＨｚ３に下げる（ステップ２０９）。
【００４９】
つまり、室内の温湿度によらず、運転周波数を制御し、圧縮機１の運転周波数を下げることにより冷凍能力を低下させる。この結果、室内熱交換器２の蒸発温度は上昇し、吹出温度を上昇させることにより、室内熱交換器２がワックスや家具の艶だし材等の不純物により汚染された場合においても、コストの増大を招くことなく有効に、かつ安全に室内ユニットでの霧の吹出しや室内側ファン５の結露等を防止することができる。また、運転周波数の上限値を規定しているためその範囲内で、室内温度と設定温度との比較結果に応じて圧縮機１を制御でき、かつ運転周波数の上限値を段階的に下げていくため、より快適性を重視した運転が可能である。また、室内側ファン速度が、ある設定値よりも小さいときのみに制御を行うため、効果的かつ効率的な制御を行うことができる。
【００５０】
図４は本発明の他の一実施例における空気調和機の要部ブロック図であり、図１１はその動作を説明するフローチャートである。図４において、制御回路１００は運転時間検出手段１０１により検出された運転時間Ｔと設定時間記憶手段１０２にあらかじめ設定された設定時間Ｔ１、Ｔ２、Ｔ３、Ｔ４とを比較する比較手段１０３と、圧縮機１０６の運転周波数の上限値を規定する運転周波数上限値出力手段１０７とを備えている。
【００５１】
上記構成による動作を図１１を用いて説明する。冷房運転開始とともに（ステップ２０１）、運転時間は運転時間検出手段１０１により検出され（ステップ２０２）、運転時間検出手段１０１により検出された運転時間Ｔと設定時間記憶手段１０２にあらかじめ設定された設定時間Ｔ１、Ｔ２、Ｔ３、Ｔ４とを比較手段１０３で比較し（ステップ２０３〜２０６）、Ｔ≧Ｔ１になるまで上記動作が繰り返される。そして、Ｔ１≦Ｔ＜Ｔ２となれば圧縮機１０６の運転周波数の上限値Ｈｚを運転周波数上限値出力手段１０７によりＨｚ１に下げる（ステップ２０７）。そして、Ｔ２≦Ｔ＜Ｔ３であれば圧縮機１０６の運転周波数の上限値Ｈｚを運転周波数上限値出力手段１０７によりＨｚ２に下げる（ステップ２０８）。そして、Ｔ３≦Ｔ＜Ｔ４であれば圧縮機１０６の運転周波数の上限値Ｈｚを運転周波数上限値出力手段１０７によりＨｚ３に下げる（ステップ２０９）。そして、Ｔ≧Ｔ４であれば運転時間Ｔをクリアし（Ｔ＝０）（ステップ２１９）、運転周波数の規定を解除し（ステップ２２０）、制御を初めから再スタートさせる。
【００５２】
つまり、室内の温湿度によらず、運転周波数を制御し、圧縮機１の運転周波数を下げることにより冷凍能力を低下させる。この結果、室内熱交換器２の蒸発温度は上昇し、吹出温度を上昇させることにより、室内熱交換器２がワックスや家具の艶だし材等の不純物により汚染された場合においても、コストの増大を招くことなく有効に、かつ安全に室内ユニットでの霧の吹出しや室内側ファン５の結露等を防止することができる。また、運転周波数の上限値を規定しているためその範囲内で、室内温度と設定温度との比較結果に応じて圧縮機１を制御でき、かつ運転周波数の上限値を段階的に下げていくため、より快適性を重視した運転が可能である。また、常に高い冷房能力が必要な場合、例えばコンピュータルーム等においても、運転時間がある設定値以上になれば、制御を再スタートさせることにより、冷房能力の確保が可能である。
【００５３】
図１２は本発明の他の一実施例における空気調和機の要部ブロック図であり、図１３はその動作を説明するフローチャートである。図１２において、制御回路１００は運転時間検出手段１０１により検出された運転時間Ｔと設定時間記憶手段１０２にあらかじめ設定された設定時間Ｔ１、Ｔ２、Ｔ３とを比較する比較手段１０３と、リモコン設定検出手段１１４により検出されたリモコン設定が変更されたかどうか判定する判定手段１１５と、圧縮機１０６の運転周波数の上限値を規定する運転周波数上限値出力手段１０７とを備えている。
【００５４】
上記構成による動作を図１３を用いて説明する。冷房運転開始とともに（ステップ２０１）、運転時間は運転時間検出手段１０１により検出され（ステップ２０２）、リモコン設定検出手段１１４により検出される（ステップ２２１）。判定手段１１５により、リモコン設定検出手段１１４により検出されたリモコン設定Ｒが変更されたかどうか判定する（ステップ２２２）。そして、リモコン設定Ｒが変更されていれば、運転時間Ｔをクリアし（Ｔ＝０）（ステップ２１９）、運転周波数の規定を解除し（ステップ２２０）、制御を初めから再スタートさせる。リモコン設定Ｒが変更されていなければ、ステップ２０３へ進む。そして、運転時間検出手段１０１により検出された運転時間Ｔと設定時間記憶手段１０２にあらかじめ設定された設定時間Ｔ１、Ｔ２、Ｔ３とを比較手段１０３で比較し（ステップ２０３〜２０５）、Ｔ≧Ｔ１になるまで上記動作が繰り返される。上記動作が繰り返され、Ｔ１≦Ｔ＜Ｔ２となれば圧縮機１０６の運転周波数の上限値Ｈｚを運転周波数上限値出力手段１０７によりＨｚ１に下げる（ステップ２０７）。そして、Ｔ２≦Ｔ＜Ｔ３であれば圧縮機１０６の運転周波数の上限値Ｈｚを運転周波数上限値出力手段１０７によりＨｚ２に下げる（ステップ２０８）。そして、Ｔ≧Ｔ３であれば圧縮機１０６の運転周波数の上限値Ｈｚを運転周波数上限値出力手段１０７によりＨｚ３に下げる（ステップ２０９）。
【００５５】
つまり、室内の温湿度によらず、運転周波数を制御し、圧縮機１の運転周波数を下げることにより冷凍能力を低下させる。この結果、室内熱交換器２の蒸発温度は上昇し、吹出温度を上昇させることにより、室内熱交換器２がワックスや家具の艶だし材等の不純物により汚染された場合においても、コストの増大を招くことなく有効に、かつ安全に室内ユニットでの霧の吹出しや室内側ファン５の結露等を防止することができる。また、運転周波数の上限値を規定しているためその範囲内で、室内温度と設定温度との比較結果に応じて圧縮機１を制御でき、かつ運転周波数の上限値を段階的に下げていくため、より快適性を重視した運転が可能である。また、ユーザが使用中に暑いと感じ冷房能力が必要であるとき、例えば風呂上がり等においても、リモコン設定の変更により、即制御を再スタートさせるため、冷房能力の確保が可能である。
【００５６】
図１４は本発明の他の一実施例における空気調和機の要部ブロック図であり、図１５はその動作を説明するフローチャートである。図１４において、制御回路１００は運転時間検出手段１０１により検出された運転時間Ｔが設定時間記憶手段１０２にあらかじめ設定された設定時間Ｔ１に達したことを判定する比較手段１０３と、圧縮機１０６の運転周波数の上限値を規定する運転周波数上限値出力手段１０７と、減圧装置１１７の絞り量を決定する減圧装置開度出力手段１１６とを備えている。
【００５７】
上記構成による動作を図１５を用いて説明する。冷房運転開始とともに（ステップ２０１）、運転時間は運転時間検出手段１０１により検出され（ステップ２０２）、運転時間検出手段１０１により検出された運転時間Ｔと設定時間記憶手段１０２にあらかじめ設定された設定時間Ｔ１とを比較手段１０３で比較し（ステップ２０３）、Ｔ≧Ｔ１になるまで上記動作が繰り返される。そして、Ｔ≧Ｔ１となれば圧縮機１０６の運転周波数の上限値Ｈｚを運転周波数上限値出力手段１０７によりＨｚ１に下げ（ステップ２０７）、減圧装置１１７の絞り量を減圧装置開度出力手段１１６および減圧装置開度変更装置１１５によりＰ１開く（ステップ２２３）。
【００５８】
つまり、室内の温湿度によらず、運転周波数を制御し、圧縮機１の運転周波数を下げることにより冷凍能力を低下させる。この結果、室内熱交換器２の蒸発温度は上昇し、吹出温度を上昇させることにより、室内熱交換器２がワックスや家具の艶だし材等の不純物により汚染された場合においても、コストの増大を招くことなく有効に、かつ安全に室内ユニットでの霧の吹出しや室内側ファン５の結露等を防止することができる。また、運転周波数の上限値を規定しているためその範囲内で、室内温度と設定温度との比較結果に応じて圧縮機１を制御できるため、より快適性を重視した運転が可能である。また、減圧装置４の絞り量を制御することで、省電力性の高い制御を行うことができる。
【００５９】
図１４は本発明の他の一実施例における空気調和機の要部ブロック図であり、図１６はその動作を説明するフローチャートである。図１４において、制御回路１００は運転時間検出手段１０１により検出された運転時間Ｔと設定時間記憶手段１０２にあらかじめ設定された設定時間Ｔ１、Ｔ２、Ｔ３とを比較する比較手段１０３と、圧縮機１０６の運転周波数の上限値を規定する運転周波数上限値出力手段１０７と、減圧装置１１７の絞り量を決定する減圧装置開度出力手段１１６とを備えている。
【００６０】
上記構成による動作を図１６を用いて説明する。冷房運転開始とともに（ステップ２０１）、運転時間は運転時間検出手段１０１により検出され（ステップ２０２）、運転時間検出手段１０１により検出された運転時間Ｔと設定時間記憶手段１０２にあらかじめ設定された設定時間Ｔ１、Ｔ２、Ｔ３とを比較手段１０３で比較し（ステップ２０３〜２０５）、Ｔ≧Ｔ１になるまで上記動作が繰り返される。上記動作が繰り返され、Ｔ≧Ｔ１となれば圧縮機１０６の運転周波数の上限値Ｈｚを運転周波数上限値出力手段１０７によりＨｚ１に下げる（ステップ２０７）。Ｔ１≦Ｔ＜Ｔ２となれば減圧装置１１７の絞り量を減圧装置開度出力手段１１６によりＰ１開く（ステップ２２３）。そして、Ｔ２≦Ｔ＜Ｔ３であれば、減圧装置１１７の絞り量を減圧装置開度出力手段１１６によりさらにＰ２開く（ステップ２２４）。そして、Ｔ≧Ｔ３であれば減圧装置１１７の絞り量を減圧装置開度出力手段１１６によりさらにＰ３開く（ステップ２２４）。
【００６１】
つまり、室内の温湿度によらず、運転周波数を制御し、圧縮機１の運転周波数を下げることにより冷凍能力を低下させる。この結果、室内熱交換器２の蒸発温度は上昇し、吹出温度を上昇させることにより、室内熱交換器２がワックスや家具の艶だし材等の不純物により汚染された場合においても、コストの増大を招くことなく有効に、かつ安全に室内ユニットでの霧の吹出しや室内側ファン５の結露等を防止することができる。また、運転周波数の上限値を規定しているためその範囲内で、室内温度と設定温度との比較結果に応じて圧縮機１を制御でき、より快適性を重視した運転が可能である。また、減圧装置４の絞り量を段階的に開いていくことで、最適に制御することができ、さらに省電力性の高い制御を行うことができる。
【００６２】
図１７は本発明の他の一実施例における空気調和機の要部ブロック図であり、図１８はその動作を説明するフローチャートである。図１７において、制御回路１００は運転時間検出手段１０１により検出された運転時間Ｔと設定時間記憶手段１０２にあらかじめ設定された設定時間Ｔ１とを比較する比較手段１０３と、外気温検出手段１０８により検出された外気温ｔと設定外気温記憶手段１０９にあらかじめ設定された温度ｔ１とを比較する比較手段１１０と、圧縮機１０６の運転周波数の上限値を規定する運転周波数上限値出力手段１０７と、減圧装置の絞り量を決定する減圧装置開度出力手段１１７とを備えている。
【００６３】
上記構成による動作を図１８を用いて説明する。冷房運転開始とともに（ステップ２０１）、運転時間は運転時間検出手段１０１により検出され（ステップ２０２）、外気温は外気温検出手段１０８により検出される（ステップ２１０）。運転時間検出手段１０１により検出された運転時間Ｔと設定時間記憶手段１０２にあらかじめ設定された設定時間Ｔ１とを比較手段１０３で比較し（ステップ２０３）、Ｔ≧Ｔ１になるまで上記動作が繰り返される。そして、Ｔ≧Ｔ１となれば、圧縮機１０６の運転周波数の上限値Ｈｚを運転周波数上限値出力手段１０７によりＨｚ１に下げる（ステップ２０７）。そして、外気温検出手段１０８により検出された外気温ｔと設定外気温記憶手段１０９にあらかじめ設定された温度ｔ１とを比較手段１１０で比較し（ステップ２１１）、外気温がｔ≧ｔ１  であれば、減圧装置１１７の絞り量を減圧装置開度出力手段１１６によりＰ１開く（ステップ２２３）。そして、外気温がｔ＜ｔ１であれば、減圧装置１１７の絞り量を減圧装置開度出力手段１１６によりＰ４開く（ステップ２２６）。
【００６４】
つまり、室内の温湿度によらず、運転周波数を制御し、圧縮機１の運転周波数を下げることにより冷凍能力を低下させる。この結果、室内熱交換器２の蒸発温度は上昇し、吹出温度を上昇させることにより、室内熱交換器２がワックスや家具の艶だし材等の不純物により汚染された場合においても、コストの増大を招くことなく有効に、かつ安全に室内ユニットでの霧の吹出しや室内側ファン５の結露等を防止することができる。また、運転周波数の上限値を規定しているためその範囲内で、室内温度と設定温度との比較結果に応じて圧縮機１を制御でき、より快適性を重視した運転が可能である。また、外気温により減圧装置４の絞り量を変更しているため、最適に制御することができ、さらに省電力性の高い制御を行うことができる。
【００６５】
図１９は本発明の他の一実施例における空気調和機の要部ブロック図であり、図２０はその動作を説明するフローチャートである。図１９において、制御回路１００は運転時間検出手段１０１により検出された運転時間Ｔと設定時間記憶手段１０２にあらかじめ設定された設定時間Ｔ１、Ｔ２、Ｔ３とを比較する比較手段１０３と、室内側ファン速度検出手段１１１により検出されたファン速度ｎと設定ファン速度記憶手段１１２にあらかじめ設定されたファン速度ｎ１とを比較する比較手段１１３と、圧縮機１０６の運転周波数の上限値を規定する運転周波数上限値出力手段１０７と、減圧装置の絞り量を決定する減圧装置開度出力手段１１７とを備えている。
【００６６】
上記構成による動作を図２０を用いて説明する。冷房運転開始とともに（ステップ２０１）、運転時間は運転時間検出手段１０１により検出され（ステップ２０２）、室内側ファン速度は室内側ファン速度検出手段１１１により検出される（ステップ２１７）。運転時間検出手段１０１により検出された運転時間Ｔと設定時間記憶手段１０２にあらかじめ設定された設定時間Ｔ１とを比較手段１０３で比較し（ステップ２０３）、Ｔ≧Ｔ１になるまで上記動作が繰り返される。そして、Ｔ≧Ｔ１となれば、圧縮機１０６の運転周波数の上限値Ｈｚを運転周波数上限値出力手段１０７によりＨｚ１に下げる（ステップ２０７）。そして、室内側ファン速度検出手段１１１により検出されたファン速度ｎと設定ファン速度記憶手段１１２にあらかじめ設定されたファン速度ｎ１とを比較手段１１３で比較し（ステップ２１８）、室内側ファン速度がｎ≧ｎ１であれば、上記動作が繰り返される。室内側ファン速度がｎ＜ｎ１であれば、減圧装置１１７の絞り量を減圧装置開度出力手段１１６によりＰ１開く（ステップ２２３）。
【００６７】
つまり、室内の温湿度によらず、運転周波数を制御し、圧縮機１の運転周波数を下げることにより冷凍能力を低下させる。この結果、室内熱交換器２の蒸発温度は上昇し、吹出温度を上昇させることにより、室内熱交換器２がワックスや家具の艶だし材等の不純物により汚染された場合においても、コストの増大を招くことなく有効に、かつ安全に室内ユニットでの霧の吹出しや室内側ファン５の結露等を防止することができる。また、運転周波数の上限値を規定しているためその範囲内で、室内温度と設定温度との比較結果に応じて圧縮機１を制御でき、より快適性を重視した運転が可能である。また、室内側ファン速度が、ある設定値よりも小さいときに、減圧装置４の絞り量を制御することで、効果的かつ効率的で省電力性の高い制御を行うことができる。
【００６８】
【発明の効果】
本発明は上記説明から明らかなように、運転時間を検出し、運転時間があらかじめ設定された設定時間に達したことを判定すると、圧縮機の運転周波数の設定値を変更することにより、室内の温湿度によらず、運転周波数を制御し、圧縮機の運転周波数を下げ、冷凍能力を低下させる。この結果、室内熱交換器の蒸発温度は上昇し、吹出温度を上昇させることにより、室内熱交換器がワックスや家具の艶だし材等の不純物により汚染された場合においても、コストの増大を招くことなく有効に、かつ安全に室内ユニットでの霧の吹出しや室内側ファンの結露等を防止することができる。
【００６９】
また、運転時間を検出し、運転時間とあらかじめ設定された設定時間とを比較し、運転時間に応じて多段階に圧縮機の運転周波数の設定値を変更することにより、室内の温湿度によらず、運転周波数を制御し、圧縮機の運転周波数を下げ、冷凍能力を低下させる。この結果、室内熱交換器の蒸発温度は上昇し、吹出温度を上昇させることにより、室内熱交換器がワックスや家具の艶だし材等の不純物により汚染された場合においても、コストの増大を招くことなく有効に、かつ安全に室内ユニットでの霧の吹出しや室内側ファンの結露等を防止することができる。また、運転周波数を段階的に下げていくため、より快適性を重視した運転が可能である。
【００７０】
また、運転時間を検出し、運転時間があらかじめ設定された設定時間に達したことを判定すると、圧縮機の運転周波数の上限値を変更することにより、室内の温湿度によらず、運転周波数を制御し、圧縮機の運転周波数を下げ、冷凍能力を低下させる。この結果、室内熱交換器の蒸発温度は上昇し、吹出温度を上昇させることにより、室内熱交換器がワックスや家具の艶だし材等の不純物により汚染された場合においても、コストの増大を招くことなく有効に、かつ安全に室内ユニットでの霧の吹出しや室内側ファンの結露等を防止することができる。また、運転周波数の上限値を規定しているためその範囲内で、室内温度と設定温度との比較結果に応じて圧縮機を制御できるため、より快適性を重視した運転が可能である。
【００７１】
また、運転時間を検出し、運転時間とあらかじめ設定された設定時間とを比較し、運転時間に応じて多段階に圧縮機の運転周波数の上限値を変更することにより、室内の温湿度によらず、運転周波数を制御し、圧縮機の運転周波数を下げ、冷凍能力を低下させる。この結果、室内熱交換器２の蒸発温度は上昇し、吹出温度を上昇させることにより、室内熱交換器がワックスや家具の艶だし材等の不純物により汚染された場合においても、コストの増大を招くことなく有効に、かつ安全に室内ユニットでの霧の吹出しや室内側ファンの結露等を防止することができる。また、運転周波数の上限値を規定しているためその範囲内で、室内温度と設定温度との比較結果に応じて圧縮機を制御でき、しかも運転周波数の上限値を段階的に下げていくため、より快適性を重視した運転が可能である。
【００７２】
さらに、外気温を検出し、外気温とあらかじめ設定された温度とを比較し、外気温に応じて圧縮機の運転周波数の設定値または上限値を変更することにより、室内の温湿度によらず、運転周波数を制御し、圧縮機の運転周波数を下げ、冷凍能力を低下させる。この結果、室内熱交換器の蒸発温度は上昇し、吹出温度を上昇させることにより、室内熱交換器がワックスや家具の艶だし材等の不純物により汚染された場合においても、コストの増大を招くことなく有効に、かつ安全に室内ユニットでの霧の吹出しや室内側ファンの結露等を防止することができる。また、外気温により運転周波数を変更するため、より快適性を重視した運転が可能である。
【００７３】
さらに、室内側ファンのファン速度を検出し、室内側ファン速度とあらかじめ設定された設定ファン速度とを比較し、室内側ファン速度に応じて圧縮機の運転周波数の設定値または上限値を変更するため、室内の温湿度によらず、運転周波数を制御し、圧縮機の運転周波数を下げ、冷凍能力を低下させる。この結果、室内熱交換器の蒸発温度は上昇し、吹出温度を上昇させることにより、室内熱交換器がワックスや家具の艶だし材等の不純物により汚染された場合においても、コストの増大を招くことなく有効に、かつ安全に室内ユニットでの霧の吹出しや室内側ファンの結露等を防止することができる。また、室内側ファン速度が、ある設定値よりも小さいときのみに制御を行うため、効果的かつ効率的な制御を行うことができる。
【００７４】
さらに、運転時間を検出し、運転時間があらかじめ設定された設定時間に達したことを判定すると、運転時間をクリアし、制御を初めから再スタートさせることにより、常に高い冷房能力が必要な場合、例えばコンピュータルーム等においても、運転時間がある設定値以上になれば、制御を再スタートさせることにより、冷房能力の確保が可能である。
【００７５】
さらに、リモコン設定を検出し、リモコン設定が変更されたことを判定すると、運転時間をクリアし、制御を初めから再スタートさせることにより、ユーザが使用中に暑いと感じ冷房能力が必要であるとき、例えば風呂上がり等においても、リモコン設定の変更により、即制御を再スタートさせるため、冷房能力の確保が可能である。
【００７６】
さらに、運転時間を検出し、運転時間があらかじめ設定された設定時間に達したことを判定すると、減圧装置の絞り量を変更し、減圧装置の開度を制御するとともに、圧縮機の運転周波数を制御することにより、室内の温湿度によらず、運転周波数を制御し、圧縮機の運転周波数を下げ、冷凍能力を低下させる。この結果、室内熱交換器の蒸発温度は上昇し、吹出温度を上昇させることにより、室内熱交換器がワックスや家具の艶だし材等の不純物により汚染された場合においても、コストの増大を招くことなく有効に、かつ安全に室内ユニットでの霧の吹出しや室内側ファンの結露等を防止することができる。また、減圧装置の絞り量を制御することで、省電力性の高い制御を行うことができる。
【００７７】
また、運転時間を検出し、運転時間とあらかじめ設定された設定時間とを比較し、運転時間に応じて減圧装置の絞り量を多段階に変更し、減圧装置の開度を制御するとともに、圧縮機の運転周波数を制御することにより、室内の温湿度によらず、運転周波数を制御し、圧縮機の運転周波数を下げることにより冷凍能力を低下させる。この結果、室内熱交換器の蒸発温度は上昇し、吹出温度を上昇させることにより、室内熱交換器がワックスや家具の艶だし材等の不純物により汚染された場合においても、コストの増大を招くことなく有効に、かつ安全に室内ユニットでの霧の吹出しや室内側ファンの結露等を防止することができる。また、減圧装置の絞り量を段階的に開いていくことで、最適に制御することができ、さらに省電力性の高い制御を行うことができる。
【００７８】
さらに、外気温を検出し、外気温とあらかじめ設定された温度とを比較し、外気温に応じて減圧装置の絞り量を変更し、減圧装置の開度を制御するとともに、圧縮機の運転周波数を制御することにより、室内の温湿度によらず、運転周波数を制御し、圧縮機の運転周波数を下げ、冷凍能力を低下させる。この結果、室内熱交換器の蒸発温度は上昇し、吹出温度を上昇させることにより、室内熱交換器がワックスや家具の艶だし材等の不純物により汚染された場合においても、コストの増大を招くことなく有効に、かつ安全に室内ユニットでの霧の吹出しや室内側ファンの結露等を防止することができる。また、外気温により減圧装置の絞り量を変更しているため、最適に制御することができ、さらに省電力性の高い制御を行うことができる。
【００７９】
さらに、室内側ファンのファン速度を検出し、室内側ファン速度とあらかじめ設定されたファン速度とを比較し、室内側ファン速度に応じて減圧装置の絞り量を変更し、減圧装置の開度を制御するとともに、圧縮機の運転周波数を制御することにより、室内の温湿度によらず、運転周波数を制御し、圧縮機の運転周波数を下げ、冷凍能力を低下させる。この結果、室内熱交換器の蒸発温度は上昇し、吹出温度を上昇させることにより、室内熱交換器がワックスや家具の艶だし材等の不純物により汚染された場合においても、コストの増大を招くことなく有効に、かつ安全に室内ユニットでの霧の吹出しや室内側ファンの結露等を防止することができる。また、室内側ファン速度が、ある設定値よりも小さいときに、減圧装置の絞り量を制御することで、効果的かつ効率的で省電力性の高い制御を行うことができ、商品価値を向上できる。
【図面の簡単な説明】
【図１】本発明の一実施例の空気調和機の要部ブロック図
【図２】本発明の一実施例の空気調和機の動作を説明するフローチャート
【図３】本発明の他の実施例の空気調和機の動作を説明するフローチャート
【図４】本発明の他の実施例の空気調和機の要部ブロック図
【図５】本発明の他の実施例の空気調和機の動作を説明するフローチャート
【図６】本発明の他の実施例の空気調和機の動作を説明するフローチャート
【図７】本発明の他の実施例の空気調和機の要部ブロック図
【図８】本発明の他の実施例の空気調和機の動作を説明するフローチャート
【図９】本発明の他の実施例の空気調和機の要部ブロック図
【図１０】本発明の他の実施例の空気調和機の動作を説明するフローチャート
【図１１】本発明の他の実施例の空気調和機の動作を説明するフローチャート
【図１２】本発明の他の実施例の空気調和機の要部ブロック図
【図１３】本発明の他の実施例の空気調和機の動作を説明するフローチャート
【図１４】本発明の他の実施例の空気調和機の要部ブロック図
【図１５】本発明の他の実施例の空気調和機の動作を説明するフローチャート
【図１６】本発明の他の実施例の空気調和機の動作を説明するフローチャート
【図１７】本発明の他の実施例の空気調和機の要部ブロック図
【図１８】本発明の他の実施例の空気調和機の動作を説明するフローチャート
【図１９】本発明の他の実施例の空気調和機の要部ブロック図
【図２０】本発明の他の実施例の空気調和機の動作を説明するフローチャート
【図２１】本発明の空気調和機の冷凍サイクル系統図
【図２２】従来明の空気調和機の冷凍サイクル系統図
【符号の説明】
１  圧縮機
２  室内熱交換器
３  室外熱交換器
４  減圧装置
５  室内側ファン
６  室外側ファン
７  室内側ファンモータ
８  圧縮機駆動回路
９  電源回路
１０  制御回路
１１  減圧装置駆動回路
１２  室外吸込温度センサ
１３  室内吸込温度センサ
【図１】
0003562064.tif 000002
【図２】
0003562064.tif 000003
【図３】
0003562064.tif 000004
【図４】
0003562064.tif 000005
【図５】
0003562064.tif 000006
【図６】
0003562064.tif 000007
【図７】
0003562064.tif 000008
【図８】
0003562064.tif 000009
【図９】
0003562064.tif 000010
【図１０】
0003562064.tif 000011
【図１１】
0003562064.tif 000012
【図１２】
0003562064.tif 000013
【図１３】
0003562064.tif 000014
【図１４】
0003562064.tif 000015
【図１５】
0003562064.tif 000016
【図１６】
0003562064.tif 000017
【図１７】
0003562064.tif 000018
【図１８】
0003562064.tif 000019
【図１９】
0003562064.tif 000020
【図２０】
0003562064.tif 000021
【図２１】
0003562064.tif 000022
【図２２】
0003562064.tif 000023